(57)【特許請求の範囲】
【請求項１】
隣接する画素が異なったノンリニアアクセス記録媒体に記録され、当該ノンリニアアクセス記録媒体から映像信号を再生する映像信号再生装置において、
前記複数のノンリニアアクセス記録媒体とエラー訂正回路とコンシール画素設定回路とを備えるＲＡＩＤを複数設け、
前記各ＲＡＩＤで映像信号の再生が行われているか否かを検出するＲＡＩＤ機能停止検出回路と再生された映像信号の処理を行うコンシール処理回路とを備える出力処理部を複数設け、
前記各ＲＡＩＤのエラー訂正回路は、単一の前記ノンリニアアクセス記録媒体から、映像信号の読み出しができないエラー画素が再生時に検出されると、当該エラー画素に対し、前記隣接する画素が異なったノンリニアアクセス記録媒体に記録されたときに該ノンリニアアクセス記録媒体に記録されたパリティーデータを用いて、前記エラー画素を修正し、
前記各ＲＡＩＤのコンシール画素設定回路は、再生時にエラー画素が複数の前記ノンリニアアクセス記録媒体から検出され、パリティーデータによる修正ができないとき、該複数のエラー画素を、第１の所定の信号で代用し、
前記各出力処理部のＲＡＩＤ機能停止検出回路は、  前記ＲＡＩＤのひとつが機能停止のときに、該機能していないＲＡＩＤからの映像信号として第２の所定の信号を用いるものとし、
前記各出力処理部のコンシール処理回路は、前記第１及び第２の所定の信号を検出し、前記第１及び第２の所定の信号で代用された画素を、該画素と隣接する画素を用いて補間することにより、前記第１の所定の信号で代用したエラー画素と前記第２の所定の信号で代用したエラー画素を修正する
ことを特徴とする映像信号再生装置。
【請求項２】
前記ＲＡＩＤのノンリニアアクセス記録媒体の少なくともひとつには、前記隣接する画素が異なったノンリニアアクセス記録媒体に記録されるように処理された映像信号に対して、パリティーデータ生成回路によって生成したパリティーデータが記録されている
ことを特徴とする請求項１に記載の映像信号再生装置。
【請求項３】
前記出力処理部は、タイムスロット発生回路により割り当てられた各タイムスロットで動作する
ことを特徴とする請求項１に記載の映像信号再生装置。
【請求項４】
隣接する画素が異なったノンリニアアクセス記録媒体に記録され、当該ノンリニアアクセス記録媒体から映像信号を再生する映像信号再生方法において、
前記複数のノンリニアアクセス記録媒体を備える複数のＲＡＩＤで映像信号を再生する際に、単一の前記ノンリニアアクセス記録媒体から、映像信号の読み出しができないエラー画素が再生時に検出されるとき、当該エラー画素に対し、前記隣接する画素が異なったノンリニアアクセス記録媒体に記録されたときに該ノンリニアアクセス記録媒体に記録されているパリティーデータを用いて、前記エラー画素を修正する工程と、
前記複数のノンリニアアクセス記録媒体を備える複数のＲＡＩＤで映像信号を再生する際に、エラー画素が複数の前記ノンリニアアクセス記録媒体から検出され、パリティデータによる修正ができないとき、該複数のエラー画素を、第１の所定の信号で代用する工程と、
前記複数のノンリニアアクセス記録媒体を備える複数のＲＡＩＤで映像信号を再生する際に、前記ＲＡＩＤのひとつが機能停止のときに、該機能していないＲＡＩＤからの映像信号として第２の所定の信号を用いる工程と、
前記複数のＲＡＩＤで再生された映像信号から、前記第１及び第２の所定の信号を検出し、前記第１及び第２の所定の信号で代用された画素を、該画素と隣接する画素を用いて補間することにより、前記第１の所定の信号で代用したエラー画素と前記第２の所定の信号で代用したエラー画素を修正する工程とを有する
ことを特徴とする映像信号再生方法。
【発明の詳細な説明】
【０００１】
【発明の属する技術分野】
この発明は、映像信号再生装置と映像信号再生方法に関する。詳しくは、複数のディスク状記録媒体を用いて構成されたディスク装置を用いてベースバンドのディジタルの映像信号を記録し、この複数のディスク状記録媒体から記録された映像信号を読み出す際に、映像信号を読み出すことが出来ない画素が判別されたときには、読み出された近接する画素の映像信号を用いて読み出すことが出来ない画素の映像信号を補間することにより、良好な再生画像を継続して得ることができるものである。
【０００２】
【従来の技術】
従来、ディスク状記録媒体を用いて構成された例えばハード・ディスク・ドライブ（以下「ＨＤＤ」という）を並列に複数並べて、１つのディスク装置のように制御するディスクアレイ装置に映像信号を記録する映像信号記録装置が知られている。
【０００３】
このディスクアレイ装置の詳細は、「A Case for Redundant Arrays of Inexpensive Disks (RAID) ， ACM SIGMOD(Conference,Chicago,IL),June(1988)」で論じられているため、ここでは省略する。上記文献において、ディスクアレイ装置はＲＡＩＤ(Redundant Array of Inexpensive Disks)と呼ばれ、ＲＡＩＤ１〜ＲＡＩＤ５までの５つのクラスに分類されており、ここでもこの呼称を用いるものとする。
【０００４】
この映像信号記録再生装置に用いられるＲＡＩＤでは、供給されたディジタルの映像信号が分割されて複数のＨＤＤに記録されると共に、例えばＲＡＩＤのレベル３の方式では複数のＨＤＤに記録された映像信号に対する誤り訂正用のパリティが生成されて１つのＨＤＤに記録される。このため、１台のＨＤＤで正しく映像信号を読み出すことが出来ない場合が生じても、パリティを利用して正しい映像信号に訂正することができ、信頼性の向上が図られている。
【０００５】
【発明が解決しようとする課題】
しかし、このように構成された映像信号記録装置であっても、ＲＡＩＤを構成するＨＤＤのうちの複数台で同時に故障を生じたときには、パリティを用いても映像信号を訂正することができない。また、ＲＡＩＤを制御するためのプログラムのバグ等によって、例えば並列に使用されているＲＡＩＤの１台が機能停止したときには、このＲＡＩＤに記録されている全ての映像信号を読み出すことができない。このように、正しく映像信号を読み出すことができない場合には、良好な再生画像を得ることができなくなってしまい、例えば番組の編集や送出を中断しなければならない場合が生じてしまう。
【０００６】
そこで、この発明では、複数のディスク装置のいずれかから映像信号を読み出すことができない場合やディスク装置の複数のディスク状記録媒体から映像信号を読み出すことができない場合であっても継続して良好な再生画像を得ることができる映像信号再生装置および映像信号再生方法を提供するものである。
【０００７】
【課題を解決するための手段】
この発明に係る映像信号再生装置は、隣接する画素が異なったノンリニアアクセス記録媒体に記録され、当該ノンリニアアクセス記録媒体から映像信号を再生する映像信号再生装置において、複数のノンリニアアクセス記録媒体とエラー訂正回路とコンシール画素設定回路とを備えるＲＡＩＤを複数設け、各ＲＡＩＤで映像信号の再生が行われているか否かを検出するＲＡＩＤ機能停止検出回路と再生された映像信号の処理を行うコンシール処理回路とを備える出力処理部を複数設け、各ＲＡＩＤのエラー訂正回路は、単一のノンリニアアクセス記録媒体から、映像信号の読み出しができないエラー画素が再生時に検出されると、当該エラー画素に対し、隣接する画素が異なったノンリニアアクセス記録媒体に記録されたときに該ノンリニアアクセス記録媒体に記録されたパリティーデータを用いて、エラー画素を修正し、各ＲＡＩＤのコンシール画素設定回路は、再生時にエラー画素が複数のノンリニアアクセス記録媒体から検出され、パリティーデータによる修正ができないとき、該複数のエラー画素を、第１の所定の信号で代用し、各出力処理部のＲＡＩＤ機能停止検出回路は、  ＲＡＩＤのひとつが機能停止のときに、該機能していないＲＡＩＤからの映像信号として第２の所定の信号を用いるものとし、各出力処理部のコンシール処理回路は、第１及び第２の所定の信号を検出し、第１及び第２の所定の信号で代用された画素を、該画素と隣接する画素を用いて補間することにより、第１の所定の信号で代用したエラー画素と第２の所定の信号で代用したエラー画素を修正するものである。
【０００９】
この発明に係る映像信号再生方法は、隣接する画素が異なったノンリニアアクセス記録媒体に記録され、当該ノンリニアアクセス記録媒体から映像信号を再生する映像信号再生方法において、複数のノンリニアアクセス記録媒体を備える複数のＲＡＩＤで映像信号を再生する際に、単一のノンリニアアクセス記録媒体から、映像信号の読み出しができないエラー画素が再生時に検出されるとき、当該エラー画素に対し、隣接する画素が異なったノンリニアアクセス記録媒体に記録されたときに該ノンリニアアクセス記録媒体に記録されているパリティーデータを用いて、エラー画素を修正する工程と、複数のノンリニアアクセス記録媒体を備える複数のＲＡＩＤで映像信号を再生する際に、エラー画素が複数のノンリニアアクセス記録媒体から検出され、パリティデータによる修正ができないとき、該複数のエラー画素を、第１の所定の信号で代用する工程と、複数のノンリニアアクセス記録媒体を備える複数のＲＡＩＤで映像信号を再生する際に、ＲＡＩＤのひとつが機能停止のときに、該機能していないＲＡＩＤからの映像信号として第２の所定の信号を用いる工程と、複数のＲＡＩＤで再生された映像信号から、第１及び第２の所定の信号を検出し、第１及び第２の所定の信号で代用された画素を、該画素と隣接する画素を用いて補間することにより、第１の所定の信号で代用したエラー画素と第２の所定の信号で代用したエラー画素を修正する工程とを有するものである。
【００１２】
この発明においては、信号分配手段によってベースバンドのディジタルの映像信号がディスク装置の複数のディスク状記録媒体に振り分けて記録されて、この複数のディスク状記録媒体から記録された映像信号を読み出す際に、ディスク装置の複数のディスク状記録媒体から記録された映像信号を読み出すことが出来ない場合、あるいはディスク装置を複数設けて複数のディスク装置のいずれかのディスク装置から映像信号を読み出すことが出来ない場合に、例えば第１あるい第２の信号生成手段によって所定のレベルの信号が読み出された映像信号とされて、信号補間手段で映像信号の信号レベルが所定のレベルであることが判別されたときに読み出された近接する画素の映像信号を用いて映像信号の補間が行われる。
【００１３】
また、ベースバンドのディジタルの映像信号を記録する際には、誤り訂正符号生成手段によって記録される映像信号に対する誤り訂正符号が生成されて記録される。ここで、記録された映像信号を読み出すことができたときに誤り訂正符号に基づき誤りが発生したとされたときには、第３の信号生成手段によって読み出された映像信号に変えて所定のレベルの信号が読み出された映像信号とされて、近接する画素の映像信号を用いて補間が行われる。さらに、新たなディスク状記録媒体を用いる場合には、予め所定のレベルの信号を記録するものとし、近接する画素の映像信号を用いて、この新たなディスク状記録媒体から読み出されるべき映像信号が補間によって生成される。
【００１４】
【発明の実施の形態】
次に、この発明の実施の一形態について図を用いて詳細に説明する。図１は映像信号記録装置の全体の構成を示しており、この映像信号記録再生装置では、例えば３つの入出力処理部１０-1，１０-2，１０-3が設けられており、タイムスロット発生回路２０からのタイムスロット信号ＴSLに基づいて処理動作が制御される。
【００１５】
タイムスロット発生回路２０では、所定時間（例えば１秒）を１つのサイクルとし、１つのサイクルを分割してタイムスロットが設定される。このタイムスロット数は、入出力処理部の数などに基づいて設定されており、図１の場合には３つの入出力処理部１０-1，１０-2，１０-3が設けられていることから、１つのサイクルが３つのタイムスロットに分割されて、３つのタイムスロットを示すタイムスロット信号ＴSLが入出力処理部１０-1，１０-2，１０-3に供給される。
【００１６】
入出力処理部１０-1は図２Ａに示す記録系の処理部と図２Ｂに示す再生系の処理部で構成されており、ベースバンドのディジタルの映像入力信号ＤINを記録する場合には、映像入力信号ＤINが記録系の処理部の入力回路２１１に供給される。入力回路２１１では、映像入力信号ＤINから有効画素部分が切り出されて、映像信号ＤWとしてシリアル−パラレル変換処理回路２１２に供給される。
【００１７】
信号分配手段を構成するシリアル−パラレル変換処理回路２１２では、シリアルデータである映像信号ＤWがパラレルデータの映像信号ＤWPに変換されて、例えば５つのＲＡＩＤが用いられる場合には、映像信号ＤWP-1〜ＤWP-5に変換されて、それぞれのＲＡＩＤに対応して設けられたメモリ２１３-1〜２１３-5に分配して書き込まれる。すなわち、連続する５画素分の映像信号が１画素ずつメモリ２１３-1〜２１３-5に分配して記憶される。なお、信号分配手段は、シリアル−パラレル変換処理回路２１２と後述するシリアル−パラレル変換処理回路５１１で構成される。
【００１８】
メモリ２１３-1〜２１３-5では、タイムスロット信号ＴSLに基づき、それぞれのメモリ２１３-1〜２１３-5に記憶された１サイクル分の映像信号ＤWP-1〜ＤWP-5が所定のタイムスロット期間内で読み出されてバス出力処理回路２１４-1〜２１４-5に供給される。
【００１９】
バス出力処理回路２１４-1では、読み出された映像信号ＤWQ-1に、この映像信号ＤWQ-1を図１に示すＲＡＩＤ５０-1内のＨＤＤに書き込むためのコマンドＣMWが付加されて、バス３０を介して対応するＲＡＩＤ５０-1に供給される。なお、バス出力処理回路２１４-2〜２１４-5に於いてもバス出力処理回路２１４-1と同様に処理されて、バス３０を介してＲＡＩＤ５０-2〜５０-5にコマンドＣMWが付加された映像信号ＤWQ-2〜ＤWQ-5が供給される。
【００２０】
ＲＡＩＤ５０-1〜５０-5は等しい構成とされており、例えばＲＡＩＤ５０-1の構成を図３に示す。バス３０を介してバス出力処理回路２１４-1から供給されたコマンドＣMWが付加された映像信号ＤWQ-1はコマンド分離部５１０に供給される。
【００２１】
コマンド分離部５１０ではコマンドＣMWと映像信号ＤWQ-1が分離されてコマンドＣMWはコマンド処理部５３０に供給されると共に映像信号ＤWQ-1はシリアル−パラレル変換処理回路５１１に供給される。なお、コマンド処理部５３０には、バス３０およびコマンド分離部５１０を介して、記録された映像信号を読み出すためのコマンドＣMRも供給される。
【００２２】
制御手段であるコマンド処理部５３０では、コマンドＣMW，ＣMR等が判別されて制御信号ＣTが生成される。この制御信号ＣTが後述するシリアル−パラレル変換処理回路５１１やＨＤＤ５１３-a〜５１３-e等に供給されて、映像信号の記録処理や再生処理が行われる。
【００２３】
シリアル−パラレル変換処理回路５１１では、映像信号ＤWQ-1がパラレルの映像信号ＤXP-a〜ＤXP-dに変換されて、パリティデータ生成回路５１２を介して例えば４つの信号記録用のＨＤＤ５１３-a〜５１３-dに分配して記録される。また、誤り訂正符号生成手段であるパリティデータ生成回路５１２では、ＨＤＤ５１３-a〜５１３-dに記録する映像信号ＤXP-a〜ＤXP-dに対して偶数または奇数パリティデータＰTが生成される。この生成されたパイティは、パリティ記録用のＨＤＤ５１３-eに記録される。
【００２４】
ＨＤＤ５１３-a〜５１３-dに記録された映像信号を再生する場合には、パス出力処理回路２１４-1からバス３０を介して供給されたコマンドＣMRに基づいてコマンド処理部５３０で制御信号ＣTが生成される。この制御信号ＣTがＨＤＤ５１３-a〜５１３-eに供給されて、ＨＤＤ５１３-a〜５１３-dから所望の映像信号ＤRP-a〜ＤRP-dが読み出されると共に、読み出された映像信号ＤRP-a〜ＤRP-dに対するパリティデータＰTRがＨＤＤ５１３-eから読み出される。この読み出された映像信号ＤRP-a〜ＤRP-dおよびパリティデータＰTRは、エラー訂正回路５２１に供給される。
【００２５】
また、ＨＤＤ５１３-a〜５１３-eからは、映像信号やパリティデータを読み出すことが出来たか否かを示す検出信号ＤT-a〜ＤT-eが出力されて、エラー訂正回路５２１およびコンシール画素設定回路５２２に供給される。
【００２６】
エラー訂正回路５２１では、検出信号ＦA-a〜ＦA-eに基づき、いずれか１つのＨＤＤで映像信号の読み出しができない場合には、ＨＤＤ５１３-eから読み出されたパリティデータＰTRを使用して、読み出すことができなかった映像信号の訂正が行われ、ＨＤＤ５１３-a〜５１３-dから読み出された映像信号とエラー訂正処理によって訂正された映像信号がコンシール画素設定回路５２２に供給される。また、複数台のＨＤＤで映像信号の読み出しができない場合には、パリティデータＰTRを用いても映像信号の訂正ができないことから、エラー訂正処理が行われることなく、ＨＤＤ５１３-a〜５１３-dから読み出された映像信号がコンシール画素設定回路５２２に供給される。さらに、ＨＤＤ５１３-a〜５１３-dから映像信号を読み出すことが出来たにもかかわらずパリティが正しくないと判別されたときには、パリティエラー検出信号ＰＥが誤り検出手段であるエラー訂正回路５２１からコンシール画素設定回路５２２に供給される。
【００２７】
第１および第３の信号生成手段であるコンシール画素設定回路５２２では、検出信号ＦA-a〜ＦA-eに基づき複数台のＨＤＤで映像信号の読み出しが出来ないことが検出されたときに、所定のレベルの信号が読み出された映像信号として用いられる。ここで、所定のレベルの信号として例えばディジタルビデオテープレコーダ規格である「Ｄ-１」や「Ｄ-２」で禁止されている「００ｈ」（ｈは１６進数であることを示す）を用いるものとすれば、映像信号であるか映像信号の読み出しが出来ないことを示す信号であるかを容易に区別することができる。
【００２８】
また、コンシール画素設定回路５２２では、パリティエラー検出信号ＰＥが供給されたときには、いずれの映像信号が誤っているか判別することができないことから、ＨＤＤ５１３-a〜５１３-dから読み出された映像信号に変えて所定のレベルの信号が読み出された映像信号として用いられる。このコンシール画素設定回路５２２で処理して得られた映像信号ＤRC-a〜ＤRC-dは、パラレル−シリアル変換処理回路５２３に供給される。
【００２９】
信号復元手段を構成するパラレル−シリアル変換回路５２３では、映像信号ＤRC-a〜ＤRC-dがシリアルの映像信号ＤRS-1に変換されると共に、この映像信号ＤRS-1に同期信号が付加されて所定のタイムスロットのタイミングでバス３１を介して例えば入出力処理部１０-1に供給される。この信号復元手段は、パラレル−シリアル変換回路５２３と後述するパラレル−シリアル変換回路２３４で構成される。
【００３０】
なお、ＲＡＩＤ５０-2〜５０-5でもＲＡＩＤ５０-1と同様な処理が行われて、映像信号ＤWQ-2〜ＤWQ-5の記録が行われると共に、記録された映像信号の読み出しが行われたときには、映像信号ＤRS-2〜ＤRS-5に同期信号が付加されて入出力処理部１０-1に供給される。
【００３１】
入出力処理部１０-1では、図２Ｂに示すようにバス３１を介してＲＡＩＤ５０-1から供給された映像信号ＤRS-1がバス入力処理回路２３１-1に供給される。同様に、ＲＡＩＤ５０-2〜５０-5から供給された映像信号ＤRS-2〜ＤRS-5もそれぞれバス入力処理回路２３１-2〜２３１-5に供給される。
【００３２】
バス入力処理回路２３１-1では、バス３１の同期信号を検出し、検出された同期信号に従って供給された映像信号ＤRS-1が機能停止検出回路２３２を介してメモり２３３-1に書き込まれる。また、バス入力処理回路２３１-1では、同期信号を検出することにより、映像信号ＤRS-1が供給されたか否かを示す同期検出信号ＳD-1が生成されて機能停止検出回路２３２に供給される。なお、バス入力処理回路２３１-2〜２３１-5もバス入力処理回路２３１-1と同様な処理が行われる。
【００３３】
第２の信号生成手段である機能停止検出回路２３２では、供給された同期検出信号ＳD-1〜ＳD-5に基づきＲＡＩＤ５０-1〜５０-5からバス３１を介して映像信号が供給されているか否かが判別されて、映像信号が供給されていないときには、上述の所定のレベルの信号が読み出された映像信号としてメモリに書き込まれる。
【００３４】
メモリ２３３-1に書き込まれた映像信号は、順次読み出されて映像信号ＤRM-1としてパラレル−シリアル変換処理回路２３４に供給される。同様にメモリ２３３-2〜２３３-5に書き込まれた映像信号も順次読み出されて映像信号ＤRM-2〜ＤRM-5としてパラレル−シリアル変換処理回路２３４に供給される。
【００３５】
パラレル−シリアル変換処理回路２３４では、映像信号ＤRM-1〜ＤRM5をパラレルの信号とし、このパラレルの信号がシリアルの映像信号ＤMSに変換される。この映像信号ＤMSは、コンシール処理回路２３５に供給される。
【００３６】
信号補間手段であるコンシール処理回路２３５では、映像信号ＤMSの信号レベルを判別して所定のレベルであるとき、すなわちＨＤＤから映像信号を読み出すことが出来ないとき、あるいはＲＡＩＤから映像信号が得られないときには、この画素の映像信号が近接する画素の映像信号を用いて補間される。このコンシール処理回路２３５で補間処理が行われることにより映像信号ＤMSが修整される。この修整された映像信号ＤMSは映像信号ＤCRとして出力回路２３６に供給されて、出力回路２３６によって所定のフォーマットとされて映像出力信号ＤOUTとして出力される。
【００３７】
なお、図１の入出力処理部１０-2，１０-3も入出力処理部１０-1と同様に構成されており、入出力処理部１０-1〜１０-3では異なるタイムスロットでバス３０，３１を介して１サイクル分の映像信号が１タイムスロットの期間中にＲＡＩＤ５０-1〜５０-5に書き込まれると共に、１タイムスロットの期間中に読み出された映像信号に基づいて１サイクル分の映像出力信号が生成されて出力される。
【００３８】
次に、図４〜図６を用いて動作について説明する。図４は、映像信号の記録処理を示しており、図４ａは映像信号記録再生装置に供給されたディジタルの映像入力信号ＤINを示している。
【００３９】
この映像入力信号ＤINが入出力処理部の入力回路２１１に供給されると、入力回路２１１では、映像入力信号ＤINから有効画素領域の映像信号が抽出されて図４ｂに示すように映像信号ＤWとされる。なお、図において例えば「Ｄ1」は有効画素領域の最初の画素の映像信号の信号レベル、「Ｄ2」は２番目の信号レベルを示しており、「Ｄ3」・・・も同様に映像信号の信号レベルを示している。また後述する図５および図６においても同様である。
【００４０】
この映像信号ＤWがシリアル−パラレル変換処理回路２１２で図４Ｃに示すように映像信号ＤWP-1〜ＤWP-5が生成される。この映像信号がメモリに書き込まれると共に、所定のタイムスロットの期間中に読み出されてＲＡＩＤ５０-1〜５０-5に供給される。このとき、映像信号はＲＡＩＤ５０-1〜５０-5のシリアル−パラレル変換回路５１１でパラレルの映像信号に変換されて、図４Ｄに示すようにＲＡＩＤ５０-1〜５０-5のそれぞれのＨＤＤ５１３-a〜５１３-dに記憶される。
【００４１】
また、ＨＤＤ５１３-a〜５１３-dに記憶される映像信号に対応するパリティデータＰTがＨＤＤ５１３-eに記憶される。このように２度のシリアルパラレル変換が行われるため１つのＨＤＤには非連続の画素の映像信号が記録されると共に、ＲＡＩＤ内でも非連続の画素の映像信号が記憶される。
【００４２】
このようにして記録された映像信号を再生する際に、例えば図５Ａに示すようにＲＡＩＤ５０-1〜５０-3，５０-5では、ＨＤＤから映像信号ＤRP-a〜ＤRP-dおよびパリティデータＰTRを読み出すことができると共に、ＲＡＩＤ５０-4では映像信号を読み出すことができない場合、機能停止検出回路２３２によって同期検出信号ＳD-4に基づきＲＡＩＤ５０-4で映像信号を読み出すことができないことが判別されて、所定のレベル「００ｈ」の信号が読み出された映像信号としてメモリ２３３-4に書き込まれる。このため、図５Ｂに示すようにメモリ２３３-1〜２３３-3，２３３-5から読み出される映像信号ＤRM-1〜ＤRM-3，ＤRM-5は、正しいデータ値を示すものとされ、メモリ２３３-4から出力された映像信号ＤRM-4の信号レベルは「００ｈ」とされる。
【００４３】
これらの映像信号ＤRM-1〜ＤRM-5がパラレル−シリアル変換処理回路２３４に供給されると、パラレル−シリアル変換処理回路２３４で図５Ｃに示すシリアルの映像信号ＤMSが生成される。この映像信号ＤMSがコンシール処理回路２３５に供給されて、信号レベルが所定のレベル「００ｈ」であることが検出されたときには、この画素の映像信号が例えばこの画素と隣接する前後の画素の映像信号を用いて補間されて修整が行われる。例えば、映像信号ＤMSが修整された映像信号ＤCRは、図５Ｄに示すように、４画素目の映像信号が得られず所定のレベル「００ｈ」が設定されているときに３画素めのレベル「Ｄ3」と５画素目のレベル「Ｄ5」を用いて補間が行われ、４画素目はレベルは「Ｄ4’」とされる。
【００４４】
このように、１つのＲＡＩＤの映像信号を読み出すことができない場合であっても、他のＲＡＩＤの映像信号を用いて読み出すことができない映像信号を補間することができるので、出力回路２３６によって映像信号ＤCRを所定のフォーマットの映像出力信号ＤOUTとすることにより、この映像出力信号ＤOUTに基づく良好な再生画像を継続して得ることができる。
【００４５】
次に、１つのＲＡＩＤの複数のＨＤＤから映像信号が読み出せない場合を図６を用いて説明する。図６Ａに示すようにＲＡＩＤ５０-2の２つのＨＤＤ５１３-b，５１３-cから映像信号ＤRP-b，ＤRP-cを読み出すことができない場合、コンシール画素設定回路５２２では検出信号ＦA-b，ＦA-cに基づきＨＤＤ５１３-b，５１３-cで映像信号を読み出すことができないことが判別されて、所定のレベル「００ｈ」の信号が読み出された映像信号とされる。このため、図６Ｂに示すようにメモリ２３３-1，２３３-2，２３３-4，２３３-5から読み出される映像信号ＤRM-1，ＤRM-2，ＤRM-4，ＤRM-5は、正しいデータ値を示すものとされ、メモリ２３３-3から出力された映像信号ＤRM-3には、所定のレベル「００ｈ」の信号が含まれるものとされる。
【００４６】
これらの映像信号ＤRM-1〜ＤRM-5がパラレル−シリアル変換処理回路２３４で供給されと、パラレル−シリアル変換処理回路２３４で図６Ｃに示す映像信号ＤMSが生成される。この映像信号ＤMSがコンシール処理回路２３５に供給されると、信号レベルが所定のレベル「００ｈ」であることが検出されたときには、この画素の映像信号が、例えばこの画素と隣接する前後の画素の映像信号を用いて補間されて映像信号ＤMSの修整が行われる。ここで、ＨＤＤ５１３-b，５１３-cで映像信号を読み出すことができないことから、映像信号ＤMSが修整された映像信号ＤCRは、図６Ｄに示すように、８画素目の映像信号が得られず所定のレベル「００ｈ」が設定されて７画素目のレベル「Ｄ7」と９画素目のレベル「Ｄ9」を用いて補間が行われ、８画素目はレベル「Ｄ8’」とされる。また、１３画素目の映像信号が得られず所定のレベル「００ｈ」が設定されて１２画素目のレベル「Ｄ12」と１４画素目のレベル「Ｄ14」（図示せず）を用いて補間が行われ、１３画素目はレベル「Ｄ13’」とされる。
【００４７】
このように、１つのＲＡＩＤの複数のＨＤＤから映像信号を読み出すことができない場合であっても、他のＲＡＩＤの映像信号を用いて読み出すことができない映像信号を補間することができるので、出力回路２３６によって映像信号ＤCRを所定のフォーマットの映像出力信号ＤOUTとすることにより、この映像出力信号ＤOUTに基づく良好な再生画像を継続して得ることができる。
【００４８】
次に、ＲＡＩＤを構成する複数のＨＤＤ５１３-a〜５１３-eからの検出信号ＦA-a〜ＦA-eに基づいて、ＨＤＤ５１３-a〜５１３-eから映像信号を読み出すことが出来たことが確認されたにも拘わらず、パリティが正しくないと判別されたときは、いずれの映像信号が正しくないかあるいはパリティが正しくないのか判別することができない。このため、パリティエラー検出信号ＰＥがコンシール画素設定回路５２２に供給されて、このＲＡＩＤから読み出された映像信号は全て所定のレベル「００ｈ」の信号に変更されるとと共に、コンシール処理回路２３５によって所定のレベル「００ｈ」の信号が補間処理されて良好な再生画像を得ることができる。
【００４９】
さらに、ＲＡＩＤを構成する複数のＨＤＤで故障が生じたために新たなＨＤＤに交換する場合、予め所定のレベル「００ｈ」の信号を全領域に記録すれば、交換されたＨＤＤから読み出された所定のレベル「００ｈ」の信号が自動的に補間される。このため、ＨＤＤを交換しても映像信号の再記録等を行うことなく良好な再生画像を得ることができる。
【００５０】
このように、上述の実施の形態によれば、複数のＲＡＩＤのいずれかのＲＡＩＤで記録された映像信号を読み出すことが出来ない場合や、１つのＲＡＩＤの複数のＨＤＤで記録された映像信号を読み出すことが出来ない場合等が生じても、良好な再生画像を得ることができるので、例えば番組の編集や送出を継続して行うことができる。
【００５１】
また、上述の実施の形態でのＲＡＩＤやＨＤＤの数あるいは所定のレベル「００ｈ」は例示的なものであり限定的なものではない。また、補間に用いられる映像信号は、隣接する前後の画素の映像信号に限られるものではない。さらに、上述の実施の形態では、ＲＡＩＤに映像信号を記録するものとしたが、光ディスク等のディスク状記録媒体を複数用いて構成されたディスク装置を用いて映像信号を記録しても良いことは勿論である。
【００５２】
【発明の効果】
この発明によれば、複数のディスク状記録媒体を用いて構成されたディスク装置を用いてベースバンドのディジタルの映像信号を記録し、この複数のディスク状記録媒体から記録された映像信号を読み出す際に、映像信号を読み出すことが出来ない画素が判別されたときには、読み出された近接する画素の映像信号を用いて読み出すことが出来ない画素の映像信号が補間されるので、継続して良好な再生画像を得ることができる。
【００５３】
また、ベースバンドのディジタルの映像信号が複数のディスク状記録媒体に振り分けて記録されるので、ディスク装置の複数のディスク状記録媒体から記録された映像信号を読み出すことが出来ない場合、あるいはディスク装置を複数設けて複数のディスク装置のいずれかのディスク装置から映像信号を読み出すことが出来ない場合であっても、読み出すことが出来ない画素の映像信号が補間されるので、継続して良好な再生画像を得ることができる。
【００５４】
また、ディスク装置の複数のディスク状記録媒体から映像信号を読み出すことが出来ない場合や複数のディスク装置のいずれかのディスク装置から映像信号を読み出すことが出来ない場合には、所定のレベルの信号が読み出された映像信号とされるので、映像信号の信号レベルが所定のレベルであるか否かを判別することにより映像信号を読み出すことが出来ない画素を容易に判別して補間することができる。
【００５５】
さらに、複数のディスク状記録媒体に映像信号と誤り訂正符号を記録するものとした場合、複数のディスク状記録媒体から映像信号を読み出すことができたときに上記誤り訂正符号に基づいて誤りが検出された場合には、この読み出された映像信号が近接する画素の映像信号を用いて補間されるので、良好な再生画像を確実に得ることができる。
【００５６】
また、新たなディスク状記録媒体を用いる際には、予め所定のレベルの映像信号を記録することにより、この新たなディスク状記録媒体の映像信号が近接する画素の映像信号を用いて補間されるので、映像信号の再記録等の処理を行うことなく良好な再生画像を得ることができる。
【図面の簡単な説明】
【図１】この発明に係る映像信号記録再生装置の構成を示す図である。
【図２】入出力処理部の構成を示す図である。
【図３】ＲＡＩＤの構成を示す図である。
【図４】映像入力信号の記録動作を説明するための図である。
【図５】１つのＲＡＩＤから映像信号を読み出せない場合の再生操作を説明するための図である。
【図６】１つのＲＡＩＤの複数のＨＤＤから映像信号を読み出せない場合の再生操作を説明するための図である。
【符号の説明】
１０-1，１０-2，１０-3・・・入出力処理部、２０・・・タイムスロット発生回路、３０，３１・・・バス、５０-1〜５０-5・・・ＲＡＩＤ、２１１・・・入力回路、２１２，５１１・・・シリアル−パラレル変換処理回路、２１３-1〜２１３-5，２３３-1〜２３３-5・・・メモリ、２３２・・・機能停止検出回路、２３４，５２３・・・パラレル−シリアル変換処理回路、２３５・・・コンシール処理回路、２３６・・・出力回路、５１２・・・パリティデータ生成回路、５１３-a〜５１３-e・・・ハード・ディスク・ドライブ（ＨＤＤ）、５２１・・・エラー訂正回路、５２２・・・コンシール画素設定回路
【図１】
0004006780.tif 000002
【図２】
0004006780.tif 000003
【図３】
0004006780.tif 000004
【図４】
0004006780.tif 000005
【図５】
0004006780.tif 000006
【図６】
0004006780.tif 000007